(57)【要約】【課題】  警光機能と警音機能、標識表示機能とに優れ、かつ、意匠性に優れた標識付き散光式警光灯の提供。【解決手段】  横長扁平な透光性グローブ３と横長扁平なハウジング２を横一連に連接した横長の筐体４を有し、筐体４の中間位置にスピーカ部Ａと標識部Ｂを前後に配置し、筐体４の長手方向両端部に警光部Ｃを配置する。スピーカ部Ａの扁平なハウジング２内に配置したスピーカ１１のスピーカ音を放音する放音口５を、筐体４の上面ｍと下面ｎのいずれか一方に、または、上面ｍと下面ｎの双方に開口する。【選択図】図１
2005145108.tif 000002
【特許請求の範囲】
【請求項１】
横長透光性のグローブを含む筐体内の複数箇所に発光体を配置してなる警光灯において、
前記筐体の長手方向中間位置前面に標識部を形成すると共に、前記標識部の後方の筐体内にスピーカを設け、前記スピーカの前面側に連通する放音口を前記筐体の上面および／または下面に開口させたことを特徴とする警光灯。
【請求項２】
前記標識部の後方の筐体内に複数のスピーカを並設し、この各スピーカの前面側に連通する放音口を前記筐体の上面および／または下面に開口させたことを特徴とする請求項１に記載の警光灯。
【請求項３】
前記標識部の後方の筐体内に前後方向に互いに逆向きの少なくとも２つのスピーカを並設したことを特徴とする請求項２に記載の警光灯。
【発明の詳細な説明】
【技術分野】
【０００１】
本発明は、消防車などの緊急車両や建造物の緊急退避場所などに設置される標識付き散光式警光灯に関する。
【背景技術】
【０００２】
緊急車両のルーフ上に設置される警光灯は、横長透光性のグローブを含む筐体内の複数箇所に回転灯を配設した散光式警光灯が一般に使用される。このような警光灯のなかには、筐体の長手方向中間位置にスピーカを収納したスピーカ部を設けたものがある。スピーカの放音部は筐体の前面に向けて配置されるのが普通であるが、スピーカ部周辺の警光発生エリアを増大させるためにスピーカの放音部を筐体の前面の下部位置に配設したものもある（特許文献１参照）。
【０００３】
一方、散光式警光灯には、当該警光灯の種類や設置場所などを表示する横長パネル状の標識部を備えた標識付き警光灯がある。この標識部は、通常、筐体の長手方向中間位置前面に配置される。
【特許文献１】特開平０９−０６９３０３号公報（図１）
【発明の開示】
【発明が解決しようとする課題】
【０００４】
上記警光灯は、車両ルーフからの突出量を少なくするため横長扁平状とする傾向にある。このような形状的制約の中で、警光部、スピーカ部および標識部を筐体長手方向に沿って横一列に配列すると、筐体長手方向全長に占めるスピーカ部と標識部の割合が増え、その分警光部の割合が減り、回転灯の設置可能数が少なくなるなどして警光機能に影響が出る。筐体長手方向全長を変えずにスピーカ部と標識部の横幅を縮小して必要な警光部エリアを確保することも考えられるが、逆にスピーカの設置台数や標識面積が極度に制約されるので現実的な解決策とはならない。
【０００５】
また、上記特許文献１のように、スピーカ部を筐体中間位置に配備し、スピーカの放音部を筐体中間位置前面の下部に位置させた警光灯では、放音部の上方の筐体前面に横長の標識部を設けることが可能であるから、警光灯の全長を増大させることなく警光部、スピーカ部および標識部を無理なく構成可能である。しかし、スピーカの放音部が筐体中間位置下部に突出する形になるため筐体全体の上下高が高くなり、それに伴う風圧や風切り音の増大あるいは意匠性の低下など、各種不具合が生じる。
【０００６】
本発明は、かかる実情に鑑みてなされたもので、警光部と標識部に制約を及ぼすことなくスピーカ部を構成した標識付き散光式警光灯を提供することを目的とする。
【課題を解決するための手段】
【０００７】
本発明は上記目的を達成するため、横長透光性のグローブを含む筐体内の複数箇所に発光体を配置してなる警光灯において、筐体の長手方向中間位置前面に標識部を形成すると共に、標識部の後方の筐体内にスピーカを設け、このスピーカの前面側に連通する放音口を筐体の上面および／または下面に開口させたことを特徴とする。
【０００８】
横長の筐体は、その両側部分を透光性グローブとした中空構造体であって、筐体の底部の取付基板上に警光を放光する回転灯などの発光体や、警音を出すスピーカを取付ける。発光体は、回転灯のほかに高輝度発光ＬＥＤなども含まれる。筐体の長手方向中間位置の前面に配備した標識部は、緊急車両の種類などを横長のパネルに文字や図形で表示したものである。パネルは通常透光性の筐体の一部を兼用し、バックライトで照らして夜間でも明確に視認可能とする。標識部の後方の筐体内にスピーカを適数設置する。スピーカは、電子サイレンアンプから再生される警報音や人の声を大音量で放音するもので、スピーカドライバとスピーカーホーンが組み合わされる。
【０００９】
筐体の長手方向中間位置の上面および/または下面に、スピーカの前面側に連通する放音口が開口する。この放音口は、スピーカの放音部面積と同程度の開口面積にすることができ、筐体の上面や下面を形成する薄い上面板や下面板を部分的に打ち抜いて開口する。筐体の上面板、下面板に形成する放音口の数は、スピーカの設置数に応じて適数に選択される。また、放音口の形成位置は、筐体の上面板と下面板の前後部や中間部など、スピーカの配置に対応させて選択される。筐体の上面および／または下面に形成した放音口からスピーカ音が外部に放音される。
【００１０】
本発明においては、前記標識部の後方の筐体内に複数のスピーカを並設し、この各スピーカの前面側に連通する放音口を筐体の上面および／または下面に開口させることができる。標識部の後方は比較的スペース的な余裕がある。ここにスピーカを配置することで複数のスピーカを余裕を持って並設することができる。
【００１１】
標識部の後方の筐体内に複数のスピーカを並接する場合、筐体内に前後方向に互いに逆向きの少なくとも２つのスピーカを並設することができる。これにより少なくとも２つのスピーカから互いに逆方向に警音が発せられ、広い範囲で効果的な放音ができる。また、逆向きの少なくとも２つのスピーカを、音声などを放音する通常のスピーカとサイレン音を放音するサイレンのように異なる二種類にして、それぞれの種類に適した放音方向を選択することができる。
【発明の効果】
【００１２】
本発明の警光灯によれば、横長透光性のグローブを含む筐体の長手方向中間位置前面に標識部を形成し、標識部の後方の筐体内にスピーカを設け、筐体の上面および／または下面にスピーカの放音口を開口させたので、警光部エリアをスピーカの放音口で制約されることなく必要十分に設定できる。また、筐体を薄型にしたまま筐体の上面や下面に適数の放音口を適当な大きさで容易に開口させることができる。さらに、筐体の長手方向中間部分と両端部分の上下高さをほぼ一定に揃えることができて、全体に凹凸の少ない意匠性に優れた薄型の標識付き散光式警光灯を提供できる。
【発明を実施するための最良の形態】
【００１３】
以下、本発明の実施の形態を添付図面を参照して説明する。
【００１４】
図１は車両のルーフ上に設置される標識付き散光式警光灯１を示す。この警光灯１は全体として横長扁平であって、左右一対の透光性グローブ３と中央のハウジング２が水平方向一直線状に連接して横長扁平の筐体４を構成する。筐体４の底部は、図４および図５に示す横長矩形の取付基板７で構成され、取付基板７が車両のルーフ上に取付金具（図示せず）を介して連結される。また、筐体４の中間位置にスピーカ部Ａと標識部Ｂが配設され、筐体４の長手方向両端部に警光部Ｃが配設される。
【００１５】
ハウジング２は平面視矩形の扁平筒状の樹脂成形品である。図１のＸ方向を横方向、Ｘ方向と直交するＹ方向を前後方向とすると、ハウジング２の前面はＸ（横）方向に長い長方形の標識部Ｂを構成する。ハウジング２の底部を構成する取付基板７上に一対のスピーカ１１がＸ方向に並置される。ハウジング２のＸ方向両端開口に一対のグローブ３が連接され、各グローブ３の底部を構成する取付基板７上に、図２に示すように回転灯などの発光体２１がそれぞれ設置される。各グローブ３は赤色の透光性樹脂成形品であって、発光体２１の光を警光効果を高める赤色にして外部に放光する。
【００１６】
ハウジング２の横長の前面を構成する標識部Ｂは、例えば内照灯付きパネル構造体であり、図５に示すように透光性の標識パネル３１と反射板３２で囲まれた空間にバックライト３３を配備する。標識パネル３１には例えば「標識灯」の文字が塗布形成され、バックライト３３の背面照明で視認性を高めるようにしている。図５に示される標識パネル３１は、ハウジング２の前面部を形成するが、ハウジング２と別体にしてもよい。標識部Ｂの後方のハウジング２内に並設した一対のスピーカ１１は、図５に示すようにドライブ部１２と放音部１３を同軸に連接したもので、一対が同じ向きで取付基板７上に並設される。取付基板７は、発光体２１の取付基板を兼用する平板状の押出し成形品を適用できる。
【００１７】
以上の警光灯１は、筐体４の中間位置前面に標識部Ｂを設け、この標識部Ｂの後方のハウジング２の上面ｍと下面ｎにスピーカ１１のスピーカ音を外部に放音する放音口５を開口したことを特徴とする。例えば、ハウジング２の上面ｍと下面ｎの前部２箇所、後部２箇所の計８箇所に放音口５を形成している。各放音口５の形状は、スピーカ１１の放音部１３の矩形の開口と同程度の大きさの矩形である。上面ｍの前部２箇所の放音口５を一対のスピーカ１１の放音部１３の前方真上に設け、下面ｎの前部２箇所の放音口５を一対のスピーカ１１の放音部１３の前方真下に設ける。図５の破線矢印で示すように、これら前部の放音口５から、各スピーカ１１の放音部１３からの音を外部に放音する。この放音がスムーズに行われるように、スピーカ１１の放音部１３先端と対向する標識部Ｂの反射板３２の背面を凸状に湾曲させる。
【００１８】
また、ハウジング上面ｍの前後２箇所ずつの放音口５をハウジング２の横方向に平行な中心線に関して前後対象形とし、同様に下面ｎの前後２箇所ずつの放音口５も前後対称形にして、ハウジング２の前部と後部の断面形状を同一にしている。このような前後対象形のハウジング２は、前後の方向性がなくて取付基板７への組立作業性が良好となる。また、ハウジング２を前部と後部に２分割した構造にし、２分割した前部と後部を同一金型で製作すれば製作費の低減を図ることができる。
【００１９】
一対のスピーカ１１のスピーカ音がハウジング２の主として前部の上下左右４箇所の放音口５から筐体４の前方、側方、後方の全方向に放音される。この放音は各放音口５が十分な開口面積で形成してあるので音量的に問題なく良好に行われる。また、ハウジング２はスピーカ１１を横置きするだけの最小の上下高にできて、筐体４の外観を薄型で意匠性の優れたものにする。ハウジング２の後部に設けた放音口５は、一部のスピーカ音を放音し、この放音は前部の放音口５からのスピーカ音に良好な音響作用を及ぼす。また、ハウジング２の下面ｎに形成した放音口５は、上面ｍの放音口５からハウジング２内に入った雨水を速やかに放出する水抜き穴として利用できる。
【００２０】
ハウジング２の上面ｍ（または下面ｎ）の放音口を無くして、下面ｎ（または上面ｍ）のみに放音口を形成することも有効である。この場合、下面ｎ（または上面ｍ）の放音口の開口面積を大きくすることで、放音されるスピーカ音の音量を十分な大きさに確保することができる。さらに、ハウジング２の上面ｍのＸ方向両端側の側部にも放音口を開口することができる。すなわち、ハウジング２に隣接するグローブ３の上面に放音口を開口することも可能であり、これら放音口の形成位置、数は警光灯の種類により適宜に選択できる。
【００２１】
次に、他の実施の形態を図６、図７に基づき説明する。
【００２２】
図６はハウジング２の中に一対のスピーカ１１を互いに前後方向を逆にして並設している。この一対のスピーカ１１を同時作動させることで、筐体４の前後方向に同様な音量でスピーカ音を放音できる。この場合、一対のスピーカ１１の放音部１３に最接近する放音口のみハウジング２に形成するようにしてもよい。
【００２３】
図７はハウジング２の中に１つのスピーカ１１と１つのモータサイレン１１'を同じ前向きにして並設している。この場合、スピーカ１１とモータサイレン１１'が別々に作動し、スピーカ音が全ての放音口５から放音され、サイレン音が全ての放音口５から放音される。
【００２４】
本発明の警光灯は上記した実施の形態に限定されるものではなく、本発明の要旨を逸脱しない範囲内において種々変更を加え得ることは勿論である。
【産業上の利用可能性】
【００２５】
本発明の警光灯は、緊急車両のルーフ上に設置される警光灯の他に、建造物の緊急避難所や、工場の作業場、作業搬送車などに設置される標識付き散光式警光灯に有効に利用できる。
【図面の簡単な説明】
【００２６】
【図１】本発明に係る警光灯の実施の形態を示す斜視図である。
【図２】図１の警光灯の平面図である。
【図３】図１の警光灯の正面図である。
【図４】図１の警光灯の底面図である。
【図５】図３Ｔ−Ｔ線に沿う拡大断面図である。
【図６】本発明に係る警光灯の他の実施の形態を示す平面図である。
【図７】本発明に係る警光灯の他の実施の形態を示す平面図である。
【符号の説明】
【００２７】
１    散光式警光灯
２    ハウジング
３    グローブ
４    筐体
５    放音口
７    取付基板
１１    スピーカ
１１'    モータサイレン
２１    発光体
３１    標識パネル
Ａ    スピーカ部
Ｂ    標識部
Ｃ    警光部
ｍ    上面
ｎ    下面
【図１】
2005145108.tif 000003
【図２】
2005145108.tif 000004
【図３】
2005145108.tif 000005
【図４】
2005145108.tif 000006
【図５】
2005145108.tif 000007
【図６】
2005145108.tif 000008
【図７】
2005145108.tif 000009